(57)【特許請求の範囲】
【請求項１】
表面側に宛名部を有し裏面側に情報記載部を有する第１の貼着シートと、表面側および裏面側に情報記載部を有する葉書本体シートと、表面側および裏面側に情報記載部を有する第２の貼着シートとが折り部を介して連接してなり、葉書本体シートの裏面側の第２の貼着シートとの境の折り部側に沿った端部側をはがき表示を有する剥離剤が印刷されたはがき表示領域としてなり、葉書本体シートが中央に位置するよう三シートを順に折り部より折り畳んだ際、葉書本体シートのはがき表示を有する剥離剤が印刷されたはがき表示領域に重なる第１の貼着シートの端部側を切取り領域としてなると共に、折り重ねた際、対向する面の少なくとも一方の面に通常では接着することなく、所定の接着条件を付与することにより接着し、接着後剥離可能な接着剤を塗布してなることを特徴とする葉書用シート。
【請求項２】
請求項１の葉書用シートにおける第１の貼着シートと葉書本体シートと第２の貼着シートとの宛名部および情報記載部に、宛名情報と通知情報を印字する工程と、折り部で連接するシートの葉書本体シートが中央位になるように、第１の貼着シートと第２の貼着シートとを三つに折り重ねる工程と、接着剤の接着条件を付与して接着する工程と、剥離剤が印刷されたはがき表示領域に重なる第１の貼着シートの端部側の切取り領域を除去して、はがき表示領域を表出させる工程とからなることを特徴とする葉書の作成方法。
【発明の詳細な説明】
【０００１】
【発明の属する技術分野】
本発明は、定型葉書の重量規格に合致し、通知情報の伝達が効率良く行える葉書を作成するための葉書用シート、およびそれを用いて葉書を作成する方法に関するものである。
【０００２】
【従来の技術】
近年の郵便法の規制緩和傾向下において、封書より低額料金で送れる葉書の概念を打ち破り、従来の葉書より多量の情報を一度に送ることができるように、三つ折り形態の折り重ね合わせ葉書として、一枚の用紙からなる葉書本体紙片および二つの貼着紙片に通知情報を記載し、葉書本体紙片の両面に貼着紙片を剥離可能に接着して被覆化が行われていた。しかし、葉書本体となる紙片には葉書の表示として「郵便はがき」等の表示部が必要なために、表面側の貼着紙片を一部切り欠いたり、窓用に切り抜いたりして表出するように工夫して、一枚の用紙からなる葉書本体紙片と二つの貼着紙片を、葉書本体紙片が中央に位置するように三つ折り形態に折り重ね合わせ、剥離可能に接着して葉書を形成していた。
【０００３】
【発明が解決しようとする課題】
しかしながら、郵便法の規格により、三つの紙片を折り重ね合わせて剥離可能に接着し被覆化した葉書は、葉書本体紙片の重量が２ｇ以上で貼着紙片を含み葉書全体の重量が６ｇ以下であるという現在の定型葉書の重量規格から、重量調整と葉書本体紙片のはがきの表示を表出する目的のために表面側の貼着紙片を一部切り欠いたり、窓部を介して表出するように切り抜いたりしており、従来の窓用切り抜き部を有する連続三つ折り形態の紙片のものにおいては、印字時に窓用切り抜き部の孔の影響により印字適性の低下をきたし、側端側を切り欠いた葉書を作成する連続三つ折り紙片のものにおいては、三つ折り前に一端側の移送孔と共に切り欠き部を切り落とし片側の移送孔でしか移送できないため移送安定性に欠けたり、接着時には重ね合わせ部の紙片間の厚みの差による段差ができて、加圧接着の場合は圧着ローラによる均一な加圧が行えないため未接着部が発生し、葉書としての規格を満足することができなかった。
【０００４】
【課題を解決するための手段】
本発明は、上記の点に鑑み、表面側に宛名部を有し裏面側に情報記載部を有する第１の貼着シートと、表面側および裏面側に情報記載部を有する葉書本体シートと、表面側および裏面側に情報記載部を有する第２の貼着シートとが折り部を介して連接してなり、葉書本体シートの裏面側の第２の貼着シートとの境の折り部側に沿った端部側をはがき表示を有する剥離剤が印刷されたはがき表示領域としてなり、葉書本体シートが中央に位置するよう三シートを順に折り部より折り畳んだ際、葉書本体シートのはがき表示を有する剥離剤が印刷されたはがき表示領域に重なる第１の貼着シートの端部側を切取り領域としてなると共に、折り重ねた際、対向する面の少なくとも一方の面に通常では接着することなく、所定の接着条件を付与することにより接着し、接着後剥離可能な接着剤を塗布してなることを特徴とする葉書用シートである。
【０００５】
また、葉書の作成方法は、上記葉書用シートにおける第１の貼着シートと葉書本体シートと第２の貼着シートとの宛名部および情報記載部に、宛名情報と通知情報を印字する工程と、折り部で連接するシートの葉書本体シートが中央位になるように、第１の貼着シートと第２の貼着シートとを三つに折り重ねる工程と、接着剤の接着条件を付与して接着する工程と、剥離剤が印刷されたはがき表示領域に重なる第１の貼着シートの端部側の切取り領域を除去して、はがき表示領域を表出させる工程とからなるものである。
【０００６】
【発明の実施の形態】
次に、本発明を添付図面に基づき詳細に説明する。図１は、本発明の実施形態の葉書用シートの表面平面図で、図２は、葉書用シートの裏面平面図である。図３、図４は、図１、図２の印字状態説明図、図５は、連続する葉書用シートを三つ折りに折り重ねた状態の斜視説明図で、図６は、Ｘ−Ｘ線断面説明図である。図７は、葉書用シートを用いて作成する葉書の形成状態の斜視説明図である。
【０００７】
図１は、葉書用シート１の表面側の構成を示す平面図であり、図２は、葉書用シート１の裏面側の構成を示す平面図である。葉書用シート１には、あらかじめ剥離可能な接着剤Ｓが両面に塗られており、第１の貼着シート２と葉書本体シート３と第２の貼着シート４とが、ミシン目、筋押し等からなる折り部７を介して連接してなり、その両側には移送孔１２ａ、１２ｂが等間隔に多数透設されたマージナル部１３ａ、１３ｂが設けられ、マージナル部１３ａ側には、切り用ミシン目１４ａが、マージナル部１３ｂ側には、切取り領域１０を分離するための分離用のミシン目１１が設けられている。また、葉書本体シート３の裏面側の第２の貼着シート４との境の折り部７側に沿った端部側には、剥離性インキ等の剥離剤が印刷されたはがき表示領域９が設けられ「郵便はがき」のはがき表示８が印刷表示されている。
【０００８】
この葉書用シート１は、連続加工処理し易いように通常は、図５に示すようにマージナル部１３ａ、１３ｂの伸びる方向に折り兼切り用ミシン目１５を介して多数連接された連続状態にあり、折り兼切り用ミシン目１５より折り畳まれているものであり、図６に示すように剥離可能な接着剤Ｓは、葉書用シート１全体にあらかじめ塗布されているものである。この剥離可能な接着剤Ｓは、全面でなく葉書本体シート３の表裏面と、第１の貼着シート２の切取り領域１０を除く裏面および第２の貼着シート４の表面とに設けてもよいものである。
【０００９】
次に、この葉書用シート１を使用して作成する葉書の作成方法について説明する。まず、印字する工程においては、連続する葉書用シート１の移送孔１２ａ、１２ｂを利用して、図示はしていない適宜な印字装置に送り込んで、図３、図４の如く、表面側の第１の貼着シート２の宛名部５には、宛名情報５ａを印字し、葉書本体シート３と第２の貼着シート４には、通知情報６ａを印字する。なお、第１の貼着シート２の宛名部５以外の余白部にも通知情報６ａを印字してもよいものである。裏面側の第２の貼着シート４、葉書本体シート３の「郵便はがき」のはがき表示８を有するはがき表示領域９、切取り領域１０を除いた第１の貼着シート２には、通知情報６ａを印字する。なお、「郵便はがき」のはがき表示８は、事前印刷でなくても、この印字装置で印字してもよいものである。
【００１０】
次に、折り重ねる工程においては、図５、図６に示す如く、連続する葉書用シート１の移送孔１２ａ、１２ｂを利用して、図示はしていない適宜の折り機で、第１の貼着シート２の裏面と葉書本体シート３の裏面とが重なるように、また葉書本体シート３の表面と第２の貼着シート４の表面とが重なるように折り部７より三つ折りに折り重ね合わせる。
【００１１】
次に葉書用シート１を葉書化するための接着する工程においては、連続する葉書用シート１を図示はしていない適宜な断裁機で、折り兼切り用ミシン目１５を切り離して単片状の葉書用シート１にする。この際、第２の貼着シート４側のマージナル部１３ａは、切り用ミシン目１４ａから切り取るか、スリットして除去する。
【００１２】
各折り重ね合わせ面に対向する剥離可能な接着剤Ｓを接着させるために、接着剤の接着条件である圧力を、図示はしていないロール圧着装置で、三つ折りされた葉書用シート１全体に均一に圧力を加え、各シートの接着面を剥離可能に接着する。葉書本体シート３の裏面側の第２の貼着シート４との境の折り部７側に沿った端部側に設けられた剥離性インキ等の剥離剤が印刷されたはがき表示領域９は、圧力が加わるけれども接着しない状態である。
【００１３】
なお、感圧性の剥離可能な接着剤Ｓは、例えば天然ゴム１００重量部に対して、スチレン２〜８重量部とメタクリル酸メチル１０〜１６重量部とをグラフト共重合させて得られた天然ゴムラテックスに、テルペン樹脂系粘着付与剤２〜１０重量部を添加して感圧性のベース接着剤とし、このベース接着剤１００重量部に対して、平均粒径１〜３０μｍの酸化チタン、小麦澱粉、シリカ等の微粒状充填剤を１５０〜２５０重量部を添加してなるものである。
【００１４】
最後に葉書を形成するための切取り領域を除去する工程においては、図７に示す如く、第１の貼着シート２のマージナル部１３ｂ側には、切取り領域１０を分離するための分離用のミシン目１１が設けられており、図示はしていない適宜な切離し装置で、マージナル部１３ｂと共に切離して、直下の葉書本体シート３上のはがき表示領域９に印刷表示されている「郵便はがき」のはがき表示８を表出させる。このようにして作成された葉書は、郵送され、受信人は、図８に示す如く、各シートを剥離展開して、通知情報６ａを判読するものである。
【００１５】
なお、切取り領域１０を分離するための分離用のミシン目１１の切離しをし易くするためには、図１、図２、に示すように、分離用のミシン目１１の切離し先端部にコーナーカットＫを設けておくと、より一層分離が容易に行えるものである。
【００１６】
また、感圧性の剥離可能な接着剤Ｓに代えて、熱や水の付与により剥離可能に接着する感熱性接着剤や再湿性接着剤を用いてもよい。また、事前に塗布された剥離できる感圧性の接着剤に代えて、透視可能なフィルムの一方の面には弱接着剤が塗布され、他方の面には強粘着剤が塗布されたフィルムタック基材や、剥離可能に接着してなる透視可能な二層フィルムの両面に強接着剤を塗布したものを、印字後に設けるようにしてもよい。
【００１７】
【発明の効果】
以上、説明したところで明らかなように本発明の葉書用シートは、第１の貼着シート、葉書本体シート、第２の貼着シートの順に大きな切り欠き部を設けずに連接したもので、印字適性に支障を来すことはなく、また葉書本体シートの裏面の第２の貼着シート側の折り部に沿って、剥離性インキ等の剥離剤が印刷されたはがき表示領域にはがき表示を設け、第１の貼着シートのマージナル側に葉書本体シートの裏面のはがき表示領域と同じ幅の切取り領域を設けたので、葉書本体シートが中央に位置するように三つ折りに重ね合せ接着した際に、接着条件である圧力を均一に加えることができ、各シートの接着面をムラ無く接着することができると共に、葉書本体シートの裏面のはがき表示を有するはがき表示領域と対向する第１の貼着シートの切取り領域を、接着後容易に分離することができ、葉書本体シート上のはがき表示を表出した葉書を作成することができる。
【図面の簡単な説明】
【図１】  本発明の葉書用シートの表面側平面図。
【図２】  本発明の葉書用シートの裏面側平面図。
【図３】  図１の印字状態説明図。
【図４】  図２の印字状態説明図。
【図５】  本発明の葉書用シートの三つ折り状態斜視説明図。
【図６】  図３のＸ−Ｘ線断面説明図。
【図７】  本発明の葉書用シートから葉書を作成する説明図。
【図８】  葉書の使用状態説明図。
【符号の説明】
１  葉書用シート
２  第１の貼着シート
３  葉書本体シート
４  第２の貼着シート
５  宛名部
５ａ  宛名情報
６ 情報記載部
６ａ  通知情報
７  折り部
８  はがき表示
９  はがき表示領域
１０  切取り領域
１１  分離用ミシン目
１２ａ、１２ｂ  移送孔
１３ａ、１３ｂ  マージナル部
１４ａ  切り用ミシン目
１５  折り兼切り用ミシン目
Ｋ  コーナーカット
Ｓ  剥離可能な接着剤
【図１】
0003666130.tif 000002
【図２】
0003666130.tif 000003
【図３】
0003666130.tif 000004
【図４】
0003666130.tif 000005
【図５】
0003666130.tif 000006
【図６】
0003666130.tif 000007
【図７】
0003666130.tif 000008
【図８】
0003666130.tif 000009